(57)【特許請求の範囲】
【請求項１】
屋根部材に接合される屋根用防水シートであって、
表面材である加硫ゴムシートの一方の面に、接着剤層を介して、屋根部材側に配置される金属シートが貼り合わされた積層シートからなり、該積層シートに波付け加工が施されて波板状とされたことを特徴とする屋根用防水シート。
【請求項２】
前記金属シートの全面もしくは一部の面に粘着シートが貼り合わされたことを特徴とする請求項１記載の屋根用防水シート。
【請求項３】
前記粘着シート上に剥離紙が貼り合わされていることを特徴とする請求項２記載の屋根用防水シート。
【請求項４】
請求項２または３に記載の屋根用防水シートを用いて、屋根部材の凹凸面に、粘着シートを当接し、この凹凸面に屋根用防水シートを変形させて添わせ、屋根用防水シートを屋根部材に接合することを特徴とする防水施工方法。
【発明の詳細な説明】
【０００１】
【発明の属する技術分野】
本発明は、防水性に優れ、環境に悪影響を及ぼすことのない屋根用防水シートおよびこれを用いた防水施工方法に関する。
【０００２】
【従来の技術】
図５は、従来の天窓の屋根開口部品を示す斜視図である。
この天窓の屋根開口部品は、これを構成する天窓水切板１が、住宅などの屋根に開けられた天窓用の穴の外周に当接するように設けられている。通常、住宅の屋根は、和瓦や洋瓦で覆われている。したがって、天窓水切板１と和瓦や洋瓦などとを接合するには、天窓水切板１の接合部を和瓦や洋瓦などの形状に追従させて、変形しなければならない。そこで、天窓水切板１と和瓦や洋瓦との接合部において、特に、屋根の下側方向となる部分には下水切りとして波板状の鉛板３が用いられている。鉛板３は、和瓦や洋瓦などの形状に追従して容易に変形し、元の形状に復元しないので、天窓水切板１を設置する際に適した屋根用防水材である。
【０００３】
鉛板３の施工方法を以下に示す。
まず、鉛板３において、天窓水切板１を構成する下水切り板２の接合部２ａと接合する部分を、木づちなどで数回叩いて、波形の山を潰す。次いで、この鉛板３の接合部３ａを折り返して、鉤状とする。次いで、あらかじめ鉤状に形成されている下水切り板２の接合部２ａを、鉛板３の接合部３ａに嵌め込む。次いで、これら両者の接合部を、下地の木さん（図示略）に、ビスなどの固定金具４で固定する。次いで、固定金具４の接合穴（図示略）および水切り板２と鉛板３との接合部を、コーキング５により止水する。
次に、鉛板３を屋根瓦７と接合する。まず、鉛板３の長手方向両端部を、屋根瓦７の長手方向に対して垂直になるように位置決めする。次いで、この両端部を木づちなどで叩いて、屋根瓦７の形状に沿わせた後、鉛板３の全体を叩いて平坦にする。次いで、鉛板３と屋根瓦７との接合部を、コーキング５などにより止水する。
【０００４】
【発明が解決しようとする課題】
ところが、上記のように鉛板３を用いた場合、固定金具４の接合穴、水切り板２と鉛板３との接合部、鉛板３と屋根瓦７との接合部を、コーキングなどにより止水しなければならず、施工時の工程が多い上に、防水性が十分でないという問題があった。
また、鉛は長期間、風雨に曝されると、雨水に溶け出し環境に悪影響を与えるという問題があった。
【０００５】
本発明は、前記事情に鑑みてなされたもので、施工が容易で、防水性に優れ、環境に悪影響を及ぼすことのない屋根用防水シートおよびこれを用いた防水施工方法を提供することを課題とする。
【０００６】
【課題を解決するための手段】
［１］ 屋根部材に接合される屋根用防水シートであって、
表面材である加硫ゴムシートの一方の面に、接着剤層を介して、屋根部材側に配置される金属シートが貼り合わされた積層シートからなり、該積層シートに波付け加工が施されて波板状とされたことを特徴とする屋根用防水シート。
［２］  前記金属シートの全面もしくは一部の面に粘着シートが貼り合わされた［１］に記載の屋根用防水シート。
［３］  前記粘着シート上に剥離紙が貼り合わされている［２］に記載の屋根用防水シート。
［４］ ［２］または［３］に記載の屋根用防水シートを用いて、屋根部材の凹凸面に、粘着シートを当接し、この凹凸面に屋根用防水シートを変形させて添わせ、屋根用防水シートを屋根部材に接合することを特徴とする防水施工方法。
【０００７】
【発明の実施の形態】
以下、本発明を詳しく説明する。
図１は、本発明の屋根用防水シートの一例を示す概略斜視図である。図２は屋根用防水シートの端部の一部を拡大した正面図である。
本発明の屋根用防水シートは、図５に示した鉛板３を代替するものである。
この例の屋根用防水シート１０は、屋根部材に接合されるものであって、表面材である加硫ゴムシート１１の一方の面に、接着剤としてブチルゴムシート１２を介して、屋根部材側に配置されるアルミニウムシート１３が貼り合わされた積層シートからなり、波付け加工が施されて波板状とされたものである。また、屋根用防水シート１０は、長期耐久性、防水性、形状保持性、耐風性などに優れたものである。
【０００８】
また、屋根用防水シート１０は、加硫ゴムシート１１、ブチルゴムシート１２およびアルミニウムシート１３が貼り合わされた平な積層シートに波付け加工を施して、一方の端部１０ａから他方の端部１０ｂにわたって均一な波形を有する波板状に形成されたものである。このように波付け加工を施したことにより、屋根用防水シート１０の長手方向の長さは縮んで、平な積層シートの長手方向の長さよりも１５〜３０％短くなる。屋根用防水シート１０が長手方向に縮んだ長さが１５％未満では、屋根用防水シート１０が屋根瓦の凹凸に追従し難い。一方、屋根用防水シート１０が長手方向に縮んだ長さが３０％を超えると、施工時に、屋根用防水シート１０の表面に皺が生じる。
また、屋根用防水シート１０に施された波付け加工による波形は、図２に示すように、凹部１０ｃの深さｔが３〜８ｍｍ程度となっている。凹部１０ｃの深さｔが３ｍｍ未満では、屋根瓦の凹凸に追従するために長さが不十分であり、凹部１０ｃの深さｔが８ｍｍを超えると、施工時に、屋根用防水シート１０の表面に皺が生じる。
【０００９】
加硫ゴムシート１１は、屋根用防水シート１０の表面材をなし、エチレン−プロピレン−ジエン三元共重合体（ＥＰＤＭ）をベースとしたブチルゴムを加硫して、シート状に成形された黒色ゴムシートである。また、加硫ゴムシート１１の厚さは、０．５〜１．０ｍｍ程度となっている。この加硫ゴムシート１１の存在により、屋根用防水シート１０は、屋根瓦などとの接合安定性、防水性に優れたものとなる。
ブチルゴムシート１２は、ブチルゴムをシート状に成形したもので、加硫ゴムシート１１とアルミニウムシート１３を貼り合わせるためのものである。また、ブチルゴムシート１２の厚さは、０．６〜１．０ｍｍ程度となっている。
アルミニウムシート１３は、厚さ０．０８〜０．１２ｍｍ程度のアルミニウムシートからなるものである。アルミニウムシート１３の存在により、屋根用防水シート１０は、形状保持性、防火性能に優れたものとなる。
このように、屋根用防水シート１０は、上記のような材料で構成されているから、屋根瓦などの屋根部材への接合時に、屋根部材の開口部分が隙間無く密閉され、長期間にわたって安定した防水構造が得られる。
【００１０】
天窓などに用いられる屋根開口部品の接合部は平滑な形状をなし、瓦などの屋根部材は凹凸が激しい面となっており、また、瓦などの屋根部材の形状はその種類毎に異なる。屋根用防水シート１０では、屋根開口部品と瓦などの屋根部材を隙間なく接合させるために、その接合部が波板状となっている。また、この屋根用防水シート１０は、その構成材料としてアルミニウムシート１３を用いているから、屋根部材の形状に追従して容易に変形し、元の形状に復元しないから、屋根部材と隙間なく接合するため、防水性が高い。
【００１１】
また、アルミニウムシート１３の全面もしくは一部の面には、ブチルゴムシートなどからなる粘着シート１４が貼り合わされ、住宅の屋根瓦などに容易に貼着可能となっている。また、粘着シート１４により、屋根瓦と屋根用防水シート１０との間に生じる開口部を止水するため、防水性が高い。
また、粘着シート１４の厚さは１．５ｍｍ以上、実用的には２ｍｍ以上となっている。厚さが１．５ｍｍ未満では、屋根用防水シート１０を屋根瓦などに接合する際に木づちなどで叩いて、瓦の形状に沿わせて変形させると、粘着シート１４の緩衝作用が不十分で、アルミニウムシート１３が割れることがある。また、厚さが２ｍｍ以上であれば、屋根瓦上に多少のゴミが存在しても、粘着シート１４によって完全に止水することができる。また、粘着シート１４が、洋瓦などの小さな凹凸に対しても完全に追従し、完全に止水することができる。さらに、粘着シート１４の厚さが２ｍｍ以上であれば、屋根用防水シート１０の凹凸を木づちなどで叩いて平坦にした結果、屋根用防水シート１０が長手方向に伸びても、粘着シート１４も同時に長手方向に伸ばされるので、防水性能が劣化することがない。
そして、屋根用防水シート１０の保管時には、粘着シート１４の貼着面上には、剥離紙が貼り合わされている。これにより、粘着シート１４の貼着面が誤って瓦などの被着物以外のものに貼り付くことがない。また、貼着面が汚れて、瓦などに貼り付ける際に、貼着不良を起こすこともない。
【００１２】
また、アルミニウムシート１３には、屋根瓦などとの接合面となる部分に図示略の穴開け加工が施されていてもよい。穴開け加工を施すことにより、アルミニウムシート１３は、より形状が変形し易くなり、屋根瓦などに隙間無く接合することができる。また、アルミニウムシート１３に形成される穴の大きさは、特に限定されるものではなく、屋根用防水シート１０が接合される屋根瓦などの形状に応じて、適宜設定される。
【００１３】
図３は、本発明の屋根用防水シートを用いた防水施工方法の第１の例を示す概略斜視図である。
まず、屋根用防水シート１０において、下水切り板２の接合部２ａと接合する部分を、木づちなどで数回叩いて、波形の山を潰す。次いで、この屋根用防水シート１０の接合部１０ｄを折り返して、鉤状とする。次いで、接合部１０ｄの下水切り板２の接合部２ａとの接合面に、直径２ｍｍの紐状のブチルゴムシールを並列に連接した連続ブチルテープ（図示略）を貼付する。次いで、あらかじめ鉤状に形成されている下水切り板２の接合部２ａを、屋根用防水シート１０の接合部１０ｄに嵌め込む。次いで、これら両者の接合部を木づちなどで叩く。これにより、接合部の隙間が連続ブチルテープで埋められ、結果的に止水される。したがって、接合部のコーキングによる止水の必要はなくなる。次いで、接合部をビスなどの押え金具１６で固定する。押え金具１６を固定する際に屋根用防水シート１０に形成される貫通穴は、連続ブチルテープおよび屋根用防水シート１０を構成するブチルゴムシート１２によって止水される。したがって、コーキングによる貫通穴の止水の必要がなくなる。
次に、屋根用防水シート１０を屋根瓦７と接合する。まず、屋根用防水シート１０の長手方向両端部を、屋根瓦７の長手方向に対して垂直になるように位置決めする。次いで、この両端部を木づちなどで叩いて、屋根瓦７の形状に沿わせた後、屋根用防水シート１０の全体を叩いて平坦にする。屋根用防水シート１０の表面材の加硫ゴムシート１１は黒色ゴムシートであるから、屋根用防水シート１０を叩いて生じた多数の皺が目立たなくなる。また、屋根用防水シート１０の他方の端部１０ｂは、木づちなどで叩くことにより、屋根瓦７の凹凸形状に追従して変形し、屋根瓦７に密着する。屋根用防水シート１０の他方の端部１０ｂと屋根瓦７との接合部には、粘着シート１４が存在し、両者を隙間無く接合している。したがって、屋根用防水シート１０の他方の端部１０ｂと屋根瓦７との接合部から、屋根用防水シート１０の内部に雨水が浸透することがなく、長期信頼性に優れた防水構造を得ることができる。また、粘着シート１４の存在により、屋根用防水シート１０の他方の端部１０ｂと屋根瓦７との接合部に、コーキングによる止水の必要がない。
なお、本発明の屋根用防水シートを用いた防水施工方法において、屋根用防水シート１０と下水切り板２との接合は、施工現場で行なっても、現場に持ち込む前に、あらかじめ接合しておいてもよい。
【００１４】
図４は、本発明の屋根用防水シートを用いた防水施工方法の第２の例を示す概略斜視図である。
まず、屋根用防水シート１０の一方の端部１０ａの表面上で、下水切り板２の接合部２ａとの接合面となる部分に、直径２ｍｍの紐状のブチルゴムシールを並列に連接した連続ブチルテープ（図示略）を貼付する。次いで、下水切り板２の接合部２ａを、連続ブチルテープ上に貼付し、屋根用防水シート１０の一方の端部１０ａと接合する。次いで、これら両者の接合部を木づちなどで叩く。これにより、接合部の隙間が連続ブチルテープで埋められ、結果的に止水される。したがって、接合部のコーキングによる止水の必要はなくなる。次いで、ビスなどの押え金具１６で固定する。押え金具１６を固定する際に屋根用防水シート１０に形成される貫通穴は、連続ブチルテープおよび屋根用防水シート１０を構成するブチルゴムシート１２によって止水される。したがって、コーキングによる貫通穴の止水の必要がなくなる。
以下、図３に示した本発明の屋根用防水シートを用いた防水施工方法の第１の例と同様にして、屋根瓦７と屋根用防水シート１０を接合する。
【００１５】
以下、図１、図２および図３を用いて具体的な実施例を示して、本発明の効果を明らかにする。
［実施例］
まず、厚さ０．６ｍｍ、長さ１０００ｍｍのＥＰＤＭをベースとした加硫ゴムシート１１の一方の面に、厚さ１ｍｍ、長さ１０００ｍｍの針入度４０〜６０のブチルゴムシート１２を貼付した。次いで、ブチルゴムシート１２に厚さ１００μｍ、長さ１０００ｍｍのアルミニウムシート１３を、両者の接合面に空気が入らないようにして貼付して長さ１０００ｍｍの積層シートを得た。
次いで、凹部１０ｃの深さｔが６ｍｍとなるように、この積層シートに波付け加工を施し、屋根用防水シート１０を得た。
得られた屋根用防水シート１０の長さは８３０ｍｍ程度であった。
次いで、アルミニウムシート１３のブチルゴムシート１２に貼付されていない面に厚さ２ｍｍのブチルゴムシートからなる粘着シート１４を、アルミニウムシート１３の凸部に平らに貼付した。
次いで、屋根用防水シート１０の接合部１０ｄを折り返して鉤状とし、あらかじめ鉤状に形成されている下水切り板２の接合部２ａを、屋根用防水シート１０の接合部１０ｄに嵌め込んだ。この際、接合部１０ｄの接合面に、直径２ｍｍの紐状のブチルゴムシールを並列に連接した連続ブチルテープ（図示略）を、あらかじめ貼付しておいた。次いで、これら両者の接合部を木づちなどで叩いて、接合部の隙間を連続ブチルテープで埋めて、止水した。次いで、接合部をビスなどの押え金具１６で固定で固定した。
次いで、屋根瓦７の凹凸面に、粘着シート１４を当接し、屋根用防水シート１０全体を木づちなどで叩いて変形させ、この凹凸面に添わせ、屋根用防水シート１０を屋根瓦７に隙間無く接合した。屋根用防水シート１０を木づちなどで叩いても、厚さ２ｍｍの粘着シート１４が緩衝材として作用し、アルミニウムシート１３が割れることがなかった。また、屋根用防水シート１０は、屋根瓦７の凹凸形状に追従して変形した形状を保持し、長期間、優れた防水構造を保持することができた。
【００１６】
【発明の効果】
以上説明したように、本発明の屋根用防水シートは、加硫ゴムシートの一方の面に、接着剤層を介して金属シートが貼り合わされた積層シートであって、該積層シートにあらかじめ波付け加工が施されて波板状とされたものであるから、屋根瓦などの屋根部材への接合時に、屋根部材の形状に追従して容易に変形し、元の形状に復元しないから、屋根部材に隙間無く密着し、長期間にわたって安定した防水構造が得られる。また、鉛を使用していないので、環境に悪影響を及ぼすことがない。
前記金属シートの全面もしくは一部の面に粘着シートが貼り合わされたものとすれば、屋根瓦などに容易に貼付可能となり、屋根瓦などに接合する際に、この屋根用防水シートを木づちなどで叩いて、瓦の形状に沿わせて変形させても、粘着シートが緩衝材として作用し、アルミニウムシートが割れることがない。また、コーキングなどを用いることなく、防水構造を得ることができる。
前記粘着シート上に剥離紙が貼り合わされていれば、粘着シートの貼着面が誤って瓦などの屋根部材以外のものに貼り付くことがない。また、貼着面が汚れて、瓦などに貼り付ける際に、貼着不良を起こすこともない。
【００１７】
また、本発明の防水施工方法は、上記屋根用防水シートを用いて、防水下地の凹凸面に、粘着シートを当接し、この凹凸面に屋根用防水シートを変形させて添わせ、屋根用防水シートを防水下地に接合するから、屋根用防水シートの他方の端部と屋根瓦との接合部から、屋根用防水シートの内部に雨水が浸透することがなく、長期信頼性に優れた防水構造を得ることができる。
【図面の簡単な説明】
【図１】  本発明の屋根用防水シートの一例を示す概略斜視図である。
【図２】  本発明の屋根用防水シートの端部の一部を拡大した正面図である。
【図３】  本発明の屋根用防水シートを用いた防水施工方法の第１の例を示す概略斜視図である。
【図４】  本発明の屋根用防水シートを用いた防水施工方法の第２の例を示す概略斜視図である。
【図５】  従来の天窓の屋根開口部品を示す斜視図である。
【符号の説明】
１・・・天窓水切り板、２・・・下水切り板、７・・・屋根瓦、１０・・・屋根用防水シート、１０ａ・・・一方の端部、１０ｂ・・・他方の端部、１０ｃ・・・凹部、１０ｄ・・・接合部、１１・・・加硫ゴムシート、１２・・・ブチルゴムシート、１３・・・アルミニウムシート、１４・・・粘着シート、１６・・・押え金具
【図１】
0003834497.tif 000002
【図２】
0003834497.tif 000003
【図３】
0003834497.tif 000004
【図４】
0003834497.tif 000005
【図５】
0003834497.tif 000006